(57)【要約】      （修正有）【課題】道路のどちらの車線から進入する車輛であっても容易に商品を購入し得るようにしたドライブスルー形式の自動販売機店舗設備を提供する。【解決手段】道路の第１の走行方向側の車線を走行する車輛の走行方向Ａに向かって近い位置にある車入口と遠い位置にある車出口の間に形成され且つ通行する車輛が道路にはみ出さないで通行できるだけの幅をもって形成された第１の車通行帯５Ａに面して、トラック等の大型車輛の運転席から操作できる高さに硬貨投入口、紙幣投入口、釣銭取出し口、返却レバー、商品取出し口及び商品選択手段を設けた高位置用自動販売機２１Ａ，２２Ａ，２３Ａと、乗用車、二輪車、車椅子等の中・小型車輛の運転席から操作できる高さに硬貨投入口、紙幣投入口、釣銭取出し口、返却レバー及び商品取出し口及び商品選択手段を設けた低位置用自動販売機４１Ａ，４２Ａ，４３Ａとを車輛の進行方向に直列に並設する。【選択図】図２
2005301344.tif 000002
【特許請求の範囲】
【請求項１】
道路（１）の第１の走行方向側の車線（１Ａ）を走行する車輛の走行方向に向かって近い位置にある車入口（８Ａ）と遠い位置にある車出口（９Ａ）の間に形成され且つ通行する車輛が道路にはみ出さないで通行できるだけの幅をもって形成された第１の車通行帯（５Ａ）に面して、トラック等の大型車輛の運転席から操作できる高さに硬貨投入口、紙幣投入口、釣銭取出し口、返却レバー、商品取出し口及び商品選択手段を設けた高位置用自動販売機（２１Ａ，２２Ａ，２３Ａ）と、乗用車、二輪車、車椅子等の中・小型車輛の運転席から操作できる高さに硬貨投入口、紙幣投入口、釣銭取出し口、返却レバー及び商品取出し口及び商品選択手段を設けた低位置用自動販売機（４１Ａ，４２Ａ，４３Ａ）とを車輛の進行方向に直列に並設するとともに、前記道路（１）の第２の走行方向側の車線（１Ｂ）を走行する車輛の走行方向に向かって近い位置にある車入口（８Ｂ）と遠い位置にある車出口（９Ｂ）の間において前記第１の車通行帯（５Ａ）と並行して形成された第２の車通行帯（５Ｂ）に面して、乗用車、二輪車、車椅子等の中・小型車輛の運転席から操作できる高さに硬貨投入口、紙幣投入口、釣銭取出し口、返却レバー及び商品取出し口及び商品選択手段を設けた低位置用自動販売機（２１Ｂ，２２Ｂ，２３Ｂ）と、トラック等の大型車輛の運転席から操作できる高さに硬貨投入口、紙幣投入口、釣銭取出し口、返却レバー、商品取出し口及び商品選択手段を設けた高位置用自動販売機（４１Ｂ，４２Ｂ，４３Ｂ）とを車輛の進行方向に直列に、且つ前記第１の車通行帯（５Ａ）に面して設置される高位置用自動販売機（２１Ａ，２２Ａ，２３Ａ）及び低位置用自動販売機（４１Ａ，４２Ａ，４３Ａ）と背中合わせになるようにして並設したことを特徴とする自動販売機店舗設備。
【請求項２】
高位置用自動販売機および低位置用自動販売機に隣接して各車輛の運転席から届く位置に、飲み残しドリンク、空缶、空ビン、ペットボトル、ゴミ等の不要品を収容する不要品捨て容器を設けたことを特徴とする請求項１記載の自動販売機店舗設備。
【発明の詳細な説明】
【技術分野】
【０００１】
本願発明は、道路に隣接して設置される自動販売機店舗設備に関するものである。
【背景技術】
【０００２】
道路に沿った空地に、各種ドリンクやタバコ等の自動販売機を設置した自動販売機店舗設備は多いが、多くの場合、商品取出し口が低位置にあるとともに、運転席と反対側の助手席側にあるために、ドライバーなどの車輛乗員がジュース等の各種商品を買おうとする場合は、一々車輛から降りなければならないという不便さがあるとともに、駐車した車輛が交通の妨げとなるという問題がある。
【０００３】
一方、各種商品の取出し口を車輛の運転席の高さに設定して、乗車したまま各種商品を購入することができるようにしたドライブスルー形式の自動販売機店舗設備を提案したものとして特許第３０２５８６８号（特許文献１）がある。この特許文献１の発明は、図８に示すように、道路に沿った空地に１または２列以上の自動販売機の列を道路に背中を向けた状態で設置するものであり、その目的の１つは、自動販売機の背面を広告表示板として利用することである。
【０００４】
ところで、この従来発明は、ドライブスルー形式の自動販売機店舗設備を提案した点ではすぐれたものであるが、なお、次のような点で改良の余地があるものと思われる。
【０００５】
すなわち、この従来例の場合は、各自動販売機５０が全て道路に背中を向けているために、自動販売機店舗設備に近い側の車線１Ｂを走行する車輛は、入口８から矢印Ｂ1のように進入してそのまま出口９から矢印Ｂ2のように車線に戻ればよいが、自動販売機店舗設備から遠い反対側の車線１Ａを走行する車輛は矢印Ａ1で示すように、入口８から進入して矢印Ａ2で示すように出口９から車線１Ａに戻るためには、自動販売機の列を１回りする必要がある（一般的な右ハンドル車の場合）。
【０００６】
【特許文献１】特許第３０２５８６８号
【発明の開示】
【発明が解決しようとする課題】
【０００７】
本願発明は、前記特許文献１の発明を参考としてなされたものであるが、なお、上記のような問題を改善しようとしてなされたものであり、次のような構成からなっている。
【課題を解決するための手段】
【０００８】
すなわち、本願発明の自動販売機店舗設備は、図１及び図２に例示するように、道路１の第１の走行方向側の車線１Ａを走行する車輛の走行方向に向かって近い位置にある車入口８Ａと遠い位置にある車出口９Ａの間に形成され且つ通行する車輛が道路にはみ出さないで通行できるだけの幅をもって形成された第１の車通行帯５Ａに面して、トラック等の大型車輛の運転席から操作できる高さに硬貨投入口、紙幣投入口、釣銭取出し口、返却レバー、商品取出し口及び商品選択手段を設けた高位置用自動販売機２１Ａ，２２Ａ，２３Ａと、乗用車、二輪車、車椅子等の中・小型車輛の運転席から操作できる高さに硬貨投入口、紙幣投入口、釣銭取出し口、返却レバー及び商品取出し口及び商品選択手段を設けた低位置用自動販売機４１Ａ，４２Ａ，４３Ａとを車輛の進行方向に直列に並設するとともに、前記道路１の第２の走行方向側の車線１Ｂを走行する車輛の走行方向に向かって近い位置にある車入口８Ｂと遠い位置にある車出口９Ｂの間において前記第１の車通行帯５Ａと並行して形成された第２の車通行帯５Ｂに面して、乗用車、二輪車、車椅子等の中・小型車輛の運転席から操作できる高さに硬貨投入口、紙幣投入口、釣銭取出し口、返却レバー及び商品取出し口及び商品選択手段を設けた低位置用自動販売機２１Ｂ，２２Ｂ，２３Ｂと、トラック等の大型車輛の運転席から操作できる高さに硬貨投入口、紙幣投入口、釣銭取出し口、返却レバー、商品取出し口及び商品選択手段を設けた高位置用自動販売機４１Ｂ，４２Ｂ，４３Ｂとを車輛の進行方向に直列に、且つ前記第１の車通行帯５Ａに面して設置される高位置用自動販売機２１Ａ，２２Ａ，２３Ａ及び低位置用自動販売機４１Ａ，４２Ａ，４３Ａ）と背中合わせになるようにして並設したことを第１の特徴とするものである。
【０００９】
また、本願発明の自動販売機店舗設備は、上記第１の特徴に加えて、高位置用自動販売機および低位置用自動販売機に隣接して各車輛の運転席から届く位置に、飲み残しドリンク、空缶、空ビン、ペットボトル、ゴミ等の不要品を収容する不要品捨て容器を設けたことを第２の特徴とするものである。
【００１０】
なお、本願発明を実施するにおいては、高位置用自動販売機（２１Ａ，２２Ａ，２３Ａ又は４１Ｂ，４２Ｂ，４３Ｂ）と低位置用自動販売機（４１Ａ，４２Ａ，４３Ａ又は２１Ｂ，２２Ｂ，２３Ｂ）とは、車輛の進行方向に向ってどちらが先にあってもよい。
【発明の効果】
【００１１】
本願発明の自動販売機店舗設備は上記のような特徴により次のような効果を奏する。
【００１２】
すなわち、本願発明の自動販売機店舗設備は先ず、道路を走行する車輛の走行方向に向かって近い位置にある車入口と遠い位置にある車出口の間に通行する車輛が道路にはみ出さないで通行できるだけの幅をもって車通行帯を形成し、その車通行帯に面して、自動販売機を設けたものであるから、その自動販売機で各種商品を購入しようとして敷地内に進入してくる車輛は、道路にはみ出すこともなく、安全に商品を購入することができる。また、同自動販売機としては、トラック等の大型車輛の運転席から操作できる高さに硬貨投入口、紙幣投入口、釣銭取出し口、返却レバー、商品取出し口及び商品選択手段を設けた高位置用自動販売機と、乗用車、二輪車、車椅子等の中・小型車輛の運転席から操作できる高さに同様に硬貨投入口、紙幣投入口、釣銭取出し口、返却レバー及び商品取出し口及び商品選択手段を設けた低位置用自動販売機とが車輛の進行方向に直列に並設されているので、車高の異なる（運転席の高さの異なる）各種車輛に対してもドライブスルー形式で商品を提供することができる効果がある。また、本願発明を実施するにあたり、高位置用自動販売機および低位置用自動販売機に隣接して各車輛の運転席から届く位置に、飲み残しドリンク、空缶、空ビン、ペットボトル、ゴミ等の不要品を収容する不要品捨て容器を設けたものでは、それらの各種不要品を車輛に乗車したままで捨てることができ、さらに便利である。
【００１３】
また、本願発明では、相互に並行する車通行帯を複数列設け、相互に隣り合う一方の車通行帯５Ａに面して設置される高位置用自動販売機及び低位置用自動販売機と、他方の車通行帯５Ｂに面して設置される高位置用自動販売機及び低位置用自動販売機とが背中合わせになるようにしているので、道路の進行方向の異なるいずれの車線を走行する車輛であっても、自動販売機設置スペースの手前側の入口（８Ａ又は８Ｂ）から敷地内に進入して商品を購入したあと、そのまま進行方向を変えずに出口（９Ａ又は９Ｂ）からもとの車線へ戻ることができるという効果がある。
【発明を実施するための最良の形態】
【００１４】
以下、図１ないし図７を参照して、本願発明の好適な実施例を説明する。
【００１５】
先ず、図１を参照して本願発明の基本的な実施の形態を説明すると、図１において符号１は道路で、１Ａ，１Ｂは走行方向の異なる第１及び第２の走行車線、２は自動販売機店舗設備が設けられる間口の大きい（道路１に接する長さが大きい）敷地、３はその敷地２内における自動販売機店舗設備のための店舗スペースを示している。この店舗スペース３には各種自動販売機の列を設置するための自動販売機設置スペース４があり、同自動販売機設置スペース４には道路１に近い側の自動販売機列５０Ａと道路１から遠い側の自動販売機列５０Ｂとが背中合わせにして設置されており、自動販売機列５０Ａに面して第１車通行帯５Ａ（車線１Ａからの車輛が進入する）、自動販売機列５０Ｂに面して第２車通行帯５Ｂ（車線１Ｂからの車輛が進入する）が設けられている。符号８Ａは、車線１Ａ側から矢印Ａの方向に向けて進入する車輛のための車入口、９Ａは同車輛のための車出口、８Ｂは車線１Ｂ側から矢印Ｂの方向に向けて進入する車輛のための車入口、９Ｂは同車輛のための車出口である。なお、この実施例の場合は、車入口８Ｂの左端と店舗スペース３の左端までの距離及び店舗スペース３の右端と車出口９Ｂの右端までの距離をそれぞれ１５ｍ以上として車の出入りが円滑になるようにしている。また、同実施例では、店舗スペース３の長さは約１６ｍ、敷地２の奥行きは約１２ｍ以上としている。
【００１６】
図２は、図１に記載の店舗スペース３部分の拡大図である。これを詳しく説明すると、この店舗スペース３には、２列の自動販売機列５０Ａ，５０Ｂが、相互に背中合わせにして配列されている。そして、道路１に近い側の自動販売機列５０Ａの自動販売機は道路１に近い側の車通行帯５Ａ側から操作され、道路１から遠い側にある自動販売機列５０Ｂの自動販売機は道路１から遠い側の車通行帯５Ｂ側から操作されるようになっている。道路１に近い側の車通行帯５Ａは、そこを通行する車輛が道路側にはみ出さないで通行できるだけの十分な幅をもって形成されている。
【００１７】
次に、道路１に近い車通行帯５Ａ側の自動販売機列５０Ａの構成について説明すると、先ず車輛の進入側から各種のお知らせ事項を掲示した案内表示板１０Ａ、飲み残しドリンク捨て容器１１Ａ、空缶容器１２Ａ、空ビン容器１３Ａ、ペットボトル容器１４Ａ、ゴミ容器１５Ａが順次設置され、それに続いて、各種の高位置用自動販売機２１Ａ，２２Ａ，２３Ａが進行方向に直列に設置されている。
【００１８】
車通行帯５Ａ側の自動販売機列５０Ａには、さらにそれに続いて、案内表示板１０Ａと同様の案内表示板３０Ａ、飲み残しドリンク捨て容器３１Ａ、空缶容器３２Ａ、空ビン容器３３Ａ、ペットボトル容器３４Ａ、ゴミ容器３５Ａと各種の低位置用自動販売機４１Ａ，４２Ａ，４３Ａが車輛の進行方向に直列に配列されている。
【００１９】
道路１から遠い車通行帯５Ｂ側の自動販売機列５０Ｂについても自動販売機列５０Ａ側と同様で、車輛の進行方向から順次、案内表示板１０Ａと同様の案内表示板１０Ｂ、飲み残しドリンク捨て容器１１Ｂ、空缶容器１２Ｂ、空ビン容器１３Ｂ、ペットボトル容器１４Ｂ、ゴミ容器１５Ｂ、各種の低位置用自動販売機２１Ｂ，２２Ｂ，２３Ｂ、さらに続いて案内表示板１０Ａと同様の案内表示板３０Ｂ、飲み残しドリンク捨て容器３１Ｂ、空缶容器３２Ｂ、空ビン容器３３Ｂ、ペットボトル容器３４Ｂ、ゴミ容器３５Ｂ、各種の高位置用自動販売機４１Ｂ，４２Ｂ，４３Ｂが車輛の進行方向に直列に配設されている。
【００２０】
図３は、図２に示されている自動販売機列５０Ａを道路１側から見た状態を示しており、車輛の進入側にある案内表示板１０Ａ、飲み残しドリンク捨て容器１１Ａ、空缶容器１２Ａ、空ビン容器１３Ａ、ペットボトル容器１４Ａ、ゴミ容器１５Ａ、高位置用自動販売機２１Ａ，２２Ａ，２３Ａは、運転席が高位置にあるトラック等の大型車輛８１Ａ，８１Ｂ（図４）の運転者が運転席からそのまま利用し易いように高さの大きい土台１６の上に設置されており、車輛の出口側にある案内表示板３０Ａ、飲み残しドリンク捨て容器３１Ａ、空缶容器３２Ａ、空ビン容器３３Ａ、ペットボトル容器３４Ａ、ゴミ容器３５Ａ、低位置用自動販売機４１Ａ，４２Ａ，４３Ａは、運転席が低位置にある乗用車や二輪車や車椅子等の中・小型車輛８２Ａ，８２Ｂ（図５）の運転席から利用し易いように、あるいは歩行者が利用し易いように、高さの低い土台１７上に設置されるかあるいは土台なしで設置されている。店舗スペース３の上方には屋根支柱６Ａ，６Ｂで支えられた屋根７が設けられている。各自動販売機列５０Ａ，５０Ｂの下端には、図１及び図２に示すように、車輛が過度に自動販売機等に接近するのを防止するための縁石１８Ａ，１８Ｂと車輛誘導用の白線１９Ａ，１９Ｂが設けられている。縁石１８Ａ，１８Ｂは、車輛のタイヤが接触しても大きなショックを与えないように表面に丸みをつけておくとよい。
【００２１】
図６及び図７は、本願発明で使用する自動販売機の構成例を示しており、図６及び図７において、符号５１は外装体、５２は商品陳列部、５３ａ，５３ｂ・・は上段商品、５４ａ，５４ｂ・・は中段商品、５５ａ，５５ｂ・・は下段商品、６３ａ，６３ｂ・・は上段用商品選択ボタン、６４ａ，６４ｂ・・は中段用商品選択ボタン、６５ａ，６５ｂ・・は下段用商品選択ボタン、６６は商品取出し口、７１は硬貨投入口、７２は紙幣投入口、７３は釣銭取出し口、７４は返却レバー、７５は開閉カギ、７６は外装体５１の前面に設けられた受台を示している。
【図面の簡単な説明】
【００２２】
【図１】本願発明の実施例にかかる自動販売機店舗設備の構成概念図である。
【図２】図１中の店舗スペース３部分の拡大図である。
【図３】図２の自動販売機設置スペース４を道路１側からみた正面図である。
【図４】図２の車通行帯を走行する大型車輛の状態図である。
【図５】図２の車通行帯を走行する中・小型車輛の状態図である。
【図６】本願発明の実施例で使用する自動販売機の一例を示す正面図である。
【図７】図６に示す自動販売機の側面図である。
【図８】ドライブスルー形式の自動販売機店舗設備の従来例を示す概念図である。
【符号の説明】
【００２３】
１は道路、２は敷地、３は店舗スペース、４は自動販売機設置スペース、５Ａ，５Ｂは車通行帯、６Ａ，６Ｂは屋根支柱、７は屋根、８Ａ，８Ｂは車入口、９Ａ，９Ｂは車出口、１０Ａ，１０Ｂ，３０Ａ，３０Ｂは案内表示板、１１Ａ，１１Ｂ，３１Ａ，３１Ｂは飲み残しドリンク捨て容器、１２Ａ，１２Ｂ，３２Ａ，３２Ｂは空缶容器、１３Ａ，１３Ｂ，３３Ａ，３３Ｂは空ビン容器、１４Ａ，１４Ｂ，３４Ａ，３４Ｂはペットボトル容器、１５Ａ，１５Ｂ，３５Ａ，３５Ｂはゴミ容器、１６，１７は土台、１８Ａ，１８Ｂは縁石、１９Ａ，１９Ｂは白線、２１Ａ，２２Ａ，２３Ａ，４１Ｂ，４２Ｂ，４３Ｂは高位置用自動販売機、２１Ｂ，２２Ｂ，２３Ｂ，４１Ａ，４２Ａ，４３Ａは低位置用自動販売機、５０Ａ，５０Ｂは自動販売機列、８１Ａ，８１Ｂは大型車輛、８２Ａ，８２Ｂは中・小型車輛である。
【図１】
2005301344.tif 000003
【図２】
2005301344.tif 000004
【図３】
2005301344.tif 000005
【図４】
2005301344.tif 000006
【図５】
2005301344.tif 000007
【図６】
2005301344.tif 000008
【図７】
2005301344.tif 000009
【図８】
2005301344.tif 000010